(57)【要約】      （修正有）【課題】従来のタクシー広告表示装置にあっては、文字や画像を映し出すために高価なモニターやＬＥＤを使用した製品が使用されており、装置を車内に搭載する際には改造が必要であり手間が掛かり、一度設置すると取り外しが困難。事故の際には乗客が装置に当たり怪我をする事もある。又、過去の例ではＥＬを使用した装置があるものの既存の布製シートカバー正面に設置できない。【解決手段】タクシー広告表示装置においては、ＥＬシートとその表面に広告フィルムを張り、この２枚を上部と裏面にマジックテープ（登録商標）を装着した塩ビ製ソフトケース２内に交換可能な形態で挿入し、前席ヘッドレスト後面の布製シートカバー１に貼り付ける事で、安価で改造も不要になり簡単に設置、不要時にも簡単に取り外し出来る物にした。【選択図】図１
0003132226.tif 000002
【実用新案登録請求の範囲】
【請求項１】
タクシー・バス・他一般車両・電車で使用されている布製シートカバーの表面に、マジックテープ（登録商標）を装着した、貼り付け又は取り外し可能な「塩ビ製ソフトケース」内に光源であるＥＬシート及び広告フィルムを交換出来る広告表示装置。
【考案の詳細な説明】
【技術分野】
【０００１】
この考案はタクシー広告に関し、車内にＥＬを使用し安価で簡単に設置が可能、目立つタクシー広告を設置出来る事を目的としたものである。
【背景技術】
【０００２】
現在、この種のタクシー広告表示装置は、ＬＥＤを使用し文字を流す物、モニターを使用し文字・画像を映し出す物があるが、設置時は車内を改造しなければならない。又、この手の装置を設置する際は多額の費用を必要とし一度設置すると取り外しが困難である。更に事故などで乗客が装置に当たり怪我をする事がある。ＥＬを使用した過去の例としてあるものの既存の「布製シートカバー」表面に設置する事が出来ない。
【考案の開示】
【考案が解決しようとする課題】
【０００３】
【特許文献１】特開２００２−０２３６７６
【０００４】
【非特許文献１】実登３１１２８５７
【０００５】
【非特許文献２】実開昭６３−０５４１８９
【０００６】
しかしながら、従来のタクシー広告表示装置にあっては、文字や画像を映し出すために高価なモニターやＬＥＤを使用した製品が使用されており、装置を車内に搭載する際には改造が必要であり手間が掛かり、一度設置すると取り外しが困難。事故の際には乗客が装置に当たり怪我をする事もある。この考案の課題はかかる不都合を解消することである。
【課題を解決するための手段】
【０００７】
上記課題を解消するために、この考案に係るタクシー広告表示装置においては、ＥＬシートとその表面に広告フィルムを張り、この２枚を「塩ビ製ソフトケース」に入れ前席ヘッドレスト後面に貼り付ける事で、安価で改造も不要になり簡単に設置し、不要時には簡単に取り外し出来る物にした。
又、「塩ビ製ソフトケース」とした事で事故時には乗客の怪我を最小限にする事が出来る。
塩ビ製ソフトケースには、上部及び裏面にマジックテープ（登録商標）を使用しており、既存の布製座席シートカバー表面に簡単に貼り付ける事が出来る。
【０００８】
更に広告については、ＥＬ表面に貼り付ける印刷物を取り替え可能に設置することにより、何時でも簡単に入替出来る物にした。
【考案の効果】
【０００９】
この考案に係るタクシー広告表示装置は、光源をＥＬシートにする事で車内のどんな場所にでも設置が可能。ＥＬシートを納めるホルダーは乗客の安全性を考え塩ビ製のソフトケースを用いる。このソフトケース上部と裏面にはマジックテープ（登録商標）が付いており、既存の布製座席シートカバー及びヘッドレストカバーに加工が不要で簡単に設置出来、不要時には簡単に取り外しが出来る物である。
【００１０】
ＥＬシート正面に貼り付ける広告フィルムはＯＨＰ透明フィルム又は印刷用白紙に家庭用、業務用のカラープリンタから出力した物を貼り付ける。これにより広告媒体を安価に作成し簡単に取り替え可能となる。
【００１１】
また、ＥＬを発光させる電源は車内のシガーライター用１２Ｖ、２４Ｖ電源から、又は直接バッテリーターミナルから取る事により加工が不要である。
【考案を実施するための最良の形態】
【００１２】
図１及び図２のように広告表示装置を前方座席ヘッドレストの後面に貼り付け、ＥＬのコードは布製シートカバーの中を這わす。
【産業上の利用可能性】
【００１３】
タクシー車内だけではなく、一般車両・バス・電車内においても使用可能である。
【図面の簡単な説明】
【００１４】
【図１】前方座席を客席側から見た図である。
【図２】図１における側面図である。
【図３】塩ビ製ソフトケース表面図である。
【図４】図３における裏面の図である。
【図５】塩ビ製ソフトケース内に挿入する、ＥＬシート及び広告フィルムの図である。
【符号の説明】
【００１５】
１  ・・・  布製・座席シートカバー
２  ・・・  塩ビ製ソフトケース
３  ・・・  ＥＬ電極線
４  ・・・  塩ビ製ソフトケース
５  ・・・  マジックテープ（登録商標）
６  ・・・  塩ビ製透明シート
Ａ  ・・・  ＥＬシート
Ｂ  ・・・  広告フィルム
【図５】
0003132226.tif 000003
【図１】
0003132226.tif 000004
【図２】
0003132226.tif 000005
【図３】
0003132226.tif 000006
【図４】
0003132226.tif 000007
【手続補正書】
【提出日】平成19年1月22日(2007.1.22)
【手続補正１】
【補正対象書類名】実用新案登録請求の範囲
【補正対象項目名】全文
【補正方法】変更
【補正の内容】
【実用新案登録請求の範囲】
【請求項１】
光源である可撓性ＥＬシート表面に透過性広告媒体を乗せた物を、表面が透過性で裏面が有色の袋状になった塩ビ製ケース内に入れる。このケースには上部表面と裏面、裏面中央部にマジックテープ（商標登録）が貼り付けてあり、電車・タクシー・バス・他一般車両で使用されているレース縫いのシートカバーに簡単に着脱可能にした事を特徴とする車内広告装置。
【手続補正書】
【提出日】平成19年2月16日(2007.2.16)
【手続補正１】
【補正対象書類名】実用新案登録請求の範囲
【補正対象項目名】全文
【補正方法】変更
【補正の内容】
【実用新案登録請求の範囲】
【請求項１】
車両内に設置する車内広告装置であって、
（１）表面が透過性で裏面が有色の袋状になった塩ビ製ケース。
（２）上記（１）の上部表面と裏面、裏面中央部にはマジックテープ（商標登録）が貼り付けてある。
（３）光源である可撓性ＥＬシート表面に透過性広告媒体を合わせて張設し上記（２）内に入れる。
以上の構成からなる物を電車・自動車で使用されているレース縫いのシートカバーに簡単に着脱可能にした事を特徴とする車内広告装置。
【手続補正書】
【提出日】平成19年3月22日(2007.3.22)
【手続補正１】
【補正対象書類名】実用新案登録請求の範囲
【補正対象項目名】全文
【補正方法】変更
【補正の内容】
【実用新案登録請求の範囲】
【請求項１】
車両内に設置する車内広告装置であって、
（１）表面が透過性で裏面が有色の袋状になった塩ビ製ケース。
（２）上記（１）の上部表面と裏面、裏面中央部にはマジックテープ（商標登録）が貼り付けてある。
（３）光源である可撓性ＥＬシート表面に透過性広告媒体を合わせて張設し上記（１）内に入れる。
以上の構成からなる物を電車・自動車で使用されているレース縫いのシートカバーに簡単に着脱可能にした事を特徴とする車内広告装置。